(57)【要約】【課題】構造が簡単で、紙詰まり等の処理作業を容易に行うことができるとともに、設置スペーサ効率の高い紙葉類処理装置を提供する。【解決手段】装置筐体１は、操作者に対面する前面壁、一対の側壁、上壁を有している。装置筐体には、複数枚の紙葉類を積層状態に載置可能な載置部３、載置部から取込まれた紙葉類を判別する判別装置８、判別装置の判別結果に基づき、特定種類の紙葉類を所定枚数積層し施封する集積施封機構７４、判別結果に基づいて分類された紙葉類を収容する複数の分類ポケット１４、１５、これらを通して紙葉類を搬送する搬送機構が設けられている。搬送機構を構成する各搬送ローラ９の回転軸は装置筐体の前面壁とほぼ直交する方向に延び、搬送路は前面壁とほぼ平行な方向に延びている。複数の分類ポケットは判別装置の上方に、集積施封機構は判別装置の下方にそれぞれ配設されている。【選択図】図２
2005056323.tif 000002
【特許請求の範囲】
【請求項１】
複数枚の紙葉類を積層状態に載置可能な載置部と、
上記載置部に載置された紙葉類を１枚ずつ取込む取込み機構と、
上記取込み機構により取込まれた紙葉類の種類、正券および損券を判別する判別装置と、
上記判別装置の判別結果に基づき、特定種類の紙葉類の正券を所定枚数積層し帯体により施封する集積施封機構と、
それぞれ紙葉類を外部から取り出し可能に集積する２つの分類ポケットおよびリジェクトポケットと、
上記判別装置の判別結果に基づき、判定不能な紙葉類を上記リジェクトポケットに振分け、上記特定種類の紙葉類の損券を一方の分類ポケットに振分け、他の種類の紙葉類を他方の分類ポケットに振分ける振分け機構と、
を備えた紙葉類処理装置。
【請求項２】
操作者に対面する前面壁、この前面壁と交差した一対の側壁、並びに上記前面壁および側壁と交差した上壁を有した装置筐体と、
複数枚の紙葉類を積層状態に載置可能な載置部と、
上記載置部に載置された紙葉類を１枚ずつ上記装置筐体内へ取込む取込み機構と、
上記装置筐体内に配設され、上記取込み機構により取込まれた紙葉類の種類を判別する判別装置と、
それぞれ紙葉類を外部から取り出し可能に集積する複数の分類ポケットと、
上記装置筐体内に設けられ、上記判別装置の判別結果に基づき、上記紙葉類を上記複数の分類ポケットに振分ける振分け機構と、を備え、
上記載置部は、上記装置本体の前面壁、一方の側壁、および上壁に開口して設けられ、
上記複数の分類ポケットは、それぞれ上記装置本体の前面壁および上壁に開口して設けられている紙葉類処理装置。
【請求項３】
上記装置筐体内に設けられた複数の搬送ローラおよび搬送ベルトを有し、上記取込み機構、判別装置、振分け機構、分類ポケットを通る搬送路に沿って上記紙葉類を搬送する搬送機構を備え、上記各搬送ローラの回転軸は上記装置筐体の前面壁とほぼ直交する方向に延び、上記搬送路は上記前面壁とほぼ平行な方向に延びている請求項２に記載の紙葉類処理装置。
【請求項４】
操作者に対面する前面壁、この前面壁と交差した一対の側壁、並びに上記前面壁および側壁と交差した上壁を有した装置筐体と、
上記装置筐体の外面に開口し、複数枚の紙葉類を積層状態に載置可能な載置部と、
上記載置部に載置された紙葉類を１枚ずつ上記装置筐体内へ取込む取込み機構と、
上記装置筐体内に配設され、上記取込み機構により取込まれた紙葉類の種類を判別する判別装置と、
上記装置筐体内に設けられ、上記判別装置の判別結果に基づき、特定種類の紙葉類を所定枚数積層し帯体により施封する集積施封機構と、
それぞれ紙葉類を上記装置筐体の外方から取り出し可能に集積する複数の分類ポケットと、
上記装置筐体内に設けられ、上記判別装置の判別結果に基づき、上記紙葉類を上記複数の分類ポケットに振分ける振分け機構と、
上記装置筐体内に設けられた複数の搬送ローラおよび搬送ベルトを有し、上記取込み機構、判別装置、振分け機構、分類ポケットを通る搬送路に沿って上記紙葉類を搬送する搬送機構と、を備え、
上記判別装置を間に挟んで、上記複数の分類ポケットは上記判別装置の上方に、上記集積施封機構は上記判別装置の下方にそれぞれ配設され、
上記各搬送ローラの回転軸は上記装置筐体の前面壁とほぼ直交する方向に延び、上記搬送路は上記前面壁とほぼ平行な方向に延びている紙葉類処理装置。
【請求項５】
上記載置部は、上記装置本体の前面壁、一方の側壁、および上壁に開口して設けられ、上記複数の分類ポケットは、それぞれ上記装置本体の前面壁および上壁に開口して設けられている請求項４に記載の紙葉類処理装置。
【請求項６】
上記判別装置により判定不能な判定不能紙葉類を集積する１つのリジェクトポケットを更に備え、上記複数の分類ポケットは、上記特定種類の紙葉類の損券と他種類の紙葉類とをそれぞれ分けて集積する２つの分類ポケットにより構成されている請求項４または５に記載の紙葉類処理装置。
【請求項７】
上記装置筐体の前面壁は、上記側壁の幅以下の幅を有している請求項２ないし６のいずれか１項に記載の紙葉類処理装置。
【請求項８】
上記装置筐体の高さは、上記前面壁の幅よりも大きい請求項７に記載の紙葉類処理装置。
【発明の詳細な説明】
【技術分野】
【０００１】
この本発明は、例えば、金融機関やデパート等に設置され、紙幣、有価証券等の紙葉類を処理する紙葉類処理装置に関する。
【背景技術】
【０００２】
近年、銀行や大規模小売業等では日常的に大量の紙幣が扱われ、これら紙幣を金種や、正損（紙幣の汚損度合い）に応じて分類して整理する業務が存在している。通常、紙幣は量が多くなると、１００枚毎に帯封をした状態で管理される。そこで、このような紙幣の整理業務を自動化する装置として紙幣類整理装置が提案されている。この紙幣処理装置は、未分類の紙幣を積層して収容するホッパー部と、ここから一枚づつ紙幣を繰出し搬送する搬送機構と、搬送されてきた紙幣の種類や正損の度合いを鑑別する監査部と、鑑別された紙幣を金種別などに分類して集積する複数のポケット部と、１００枚ずつ集積した紙幣を帯封する施封部等と、を備えている（例えば、特許文献１参照）。
【０００３】
上記のような紙葉類処理装置において、事務所や事務机の設置スペース効率の点から、いわゆる自立型の装置は、事務机等の脇に立位状態で設置できるように横幅が狭く、奥行が事務机以下程度に設計されている。また、いわゆるデスクトップ型の装置は、装置高さを低くして手元スペースを確保できるように、横長で、奥行が短くなるように設計されている。そして、自立型とデスクトップ型では、その搬送レイアウトが相違している。
【０００４】
すなわち、自立型の紙葉類処理装置において、紙幣の搬送路は装置の奥行き方向、つまり、装置側面と平行な方向に沿って延び、紙幣は操作者の手前から奥に向かって搬送される。また、デスクトップ型の紙葉類処理装置において、紙幣の搬送路は装置の左右方向、つまり、装置正面と平行な方向に沿って延び、紙幣は操作者に向かって左右に搬送される。
【特許文献１】特許第２６８６０６８号公報
【発明の開示】
【発明が解決しようとする課題】
【０００５】
上記のような紙葉類処理装置において、紙幣が何らかの理由で紙詰まりを起こしたときや、機内清掃を行う場合、通常、装置正面側から作業を行う。デスクトップ型の紙葉類処理装置においては、搬送経路が装置正面とほぼ平行に延びているため、装置正面側を開放することにより搬送経路全体を露出させることが可能となる。そのため、搬送部を手前に引き出す構造等を採用することなく、紙詰まり紙幣の除去、機内清掃等を行うことができる。
【０００６】
これに対して、自立型の紙葉類処理装置において、搬送経路は装置側面と平行に延びている。そのため、装置正面側から作業する際、搬送部をいくつかに分割して正面手前側に引き出し、更に、搬送部を開いて、紙幣を抜き取ったり、光センサーの清掃を行ったりする必要がある。従って、装置の構造が複雑にならざるを得ず、また、作業が面倒で時間が掛かるという問題がある。
【０００７】
この発明は以上の点に鑑みなされたもので、その目的は、構造が簡単で、紙詰まり等の処理作業を容易に行うことができるとともに、設置スペーサ効率の高い紙葉類処理装置を提供することにある。
【課題を解決するための手段】
【０００８】
上記目的を達成するため、この発明の形態に係る紙葉類処理装置は、複数枚の紙葉類を積層状態に載置可能な載置部と、上記載置部に載置された紙葉類を１枚ずつ取込む取込み機構と、上記取込み機構により取込まれた紙葉類の種類、正券および損券を判別する判別装置と、上記判別装置の判別結果に基づき、特定種類の紙葉類の正券を所定枚数積層し帯体により施封する集積施封機構と、それぞれ紙葉類を外部から取り出し可能に集積する２つの第２分類ポケットおよびリジェクトポケットと、上記判別装置の判別結果に基づき、判定不能な紙葉類を上記リジェクトポケットに振分け、上記特定種類の紙葉類の損券を一方の分類ポケットに振分け、他の種類の紙葉類を他方の分類ポケットに振分ける振分け機構と、を備えたことを特徴としている。
【０００９】
この発明の他の態様に係る紙葉処理装置は、操作者に対面する前面壁、この前面壁と交差した一対の側壁、並びに上記前面壁および側壁と交差した上壁を有した装置筐体と、複数枚の紙葉類を積層状態に載置可能な載置部と、上記載置部に載置された紙葉類を１枚ずつ上記装置筐体内へ取込む取込み機構と、上記装置筐体内に配設され、上記取込み機構により取込まれた紙葉類の種類を判別する判別装置と、それぞれ紙葉類を外部から取り出し可能に集積する複数の分類ポケットと、上記装置筐体内に設けられ、上記判別装置の判別結果に基づき、上記紙葉類を上記複数の分類ポケットに振分ける振分け機構と、を備え、上記載置部は、上記装置本体の前面壁、一方の側壁、および上壁に開口して設けられ、上記複数の分類ポケットは、それぞれ上記装置本体の前面壁および上壁に開口して設けられていることを特徴としている。
【００１０】
この発明の更に他の態様に係る紙葉類処理装置は、操作者に対面する前面壁、この前面壁と交差した一対の側壁、並びに上記前面壁および側壁と交差した上壁を有した装置筐体と、上記装置筐体の外面に開口し、複数枚の紙葉類を積層状態に載置可能な載置部と、上記載置部に載置された紙葉類を１枚ずつ上記装置筐体内へ取込む取込み機構と、上記装置筐体内に配設され、上記取込み機構により取込まれた紙葉類の種類を判別する判別装置と、上記装置筐体内に設けられ、上記判別装置の判別結果に基づき、特定種類の紙葉類を所定枚数積層し帯体により施封する集積施封機構と、それぞれ紙葉類を上記装置筐体の外方から取り出し可能に集積する複数の分類ポケットと、上記装置筐体内に設けられ、上記判別装置の判別結果に基づき、上記紙葉類を上記複数の分類ポケットに振分ける振分け機構と、上記装置筐体内に設けられた複数の搬送ローラおよび搬送ベルトを有し、上記取込み機構、判別装置、振分け機構、分類ポケットを通る搬送路に沿って上記紙葉類を搬送する搬送機構と、を備え、上記判別装置を間に挟んで、上記複数の分類ポケットは上記判別装置の上方に、上記集積施封機構は上記判別装置の下方にそれぞれ配設され、上記各搬送ローラの回転軸は上記装置筐体の前面壁とほぼ直交する方向に延び、上記搬送路は上記前面壁とほぼ平行な方向に延びていることを特徴としている。
【発明の効果】
【００１１】
この発明によれば、構造が簡単で、紙詰まり等の処理作業を容易に行うことができるとともに、設置スペーサ効率の高い紙葉類処理装置を提供することができる。
【発明を実施するための最良の形態】
【００１２】
以下図面を参照しながら、この発明の係る紙葉類処理装置を紙幣整理機に適用した実施の形態にについて詳細に説明する。  
図１ないし図３に示すように、紙幣整理機は、設置面としての床面５０上に立位状態で設置される自立型の紙幣整理機として構成されている。紙幣整理機は、立位状態に設けられたほぼ角柱状の装置筐体１を備えている。装置筐体１は、底壁として機能する矩形板状の基台５２を備え、基台に設けられた４つのキャスタ５１により、床面５０上を移動可能に設置されている。
【００１３】
装置筐体１は、操作者に対面する前面壁５６、この前面壁と直交した一対の側壁５８ａ、５８ｂ、前面壁および側壁と直交し基台５２と対向した上壁６０、並びに、前面壁と対向した背面壁６１を有している。前面壁５６は、開閉自在な扉として構成され、この前面壁を開放することにより、装置筐体１内部を露出することができる。装置筐体１全体の幅、すなわち、前面壁５６の幅Ｗは、装置筐体の奥行き、すなわち、側壁５８ａ、５８ｂの幅Ｄ以下に形成されている。また、装置筐体１の高さＨは、前面壁の幅Ｗよりも大きく形成されている。
【００１４】
装置筐体１内には、基台５２上にほぼ垂直に立設されたメインフレーム６２、メインフレームと対向したサブフレーム６３が設けられ、メインフレームおよびサブフレームには後述する種々の機構および構造部が取付けられている。
【００１５】
装置筐体１の上側部には複数枚の紙幣を載置可能な載置部３が設けられている。載置部３は、装置筐体１の前面壁５６、一方の側壁５８ｂおよび上壁６０に開口したほぼ矩形状の凹所により形成されている。また、載置部３はほぼ水平なベース面４を有し、このベース面上にそれぞれほぼ水平状態の紙幣Ｐが垂直方向に積層された状態で複数枚載置される。載置部３には、積層された紙幣Ｐを上方からベース面４側へ押付けるバックアップ板５が設けられている。
【００１６】
装置筐体１内には、載置部３に載置された紙幣Ｐを１枚ずつ装置筐体１内へ取込む取込み機構７０、取込まれた紙幣Ｐの種類等を判別する判別装置８、判別装置の判別結果に基づき、特定種類の紙幣を所定枚数積層し帯体により施封する集積施封機構７４、それぞれ紙幣を装置筐体１の外方から取り出し可能に集積するリジェクトポケット１３および複数の分類ポケット１４、１５、判別装置の判別結果に基いて紙幣Ｐを分類ポケットに振分ける振分け機構７２、複数の搬送ローラ９および搬送ベルト１０の組み合せにより構成され、取込み機構、判別装置、振分け機構、リジェクトポケットおよび分類ポケットを通る搬送路１９に沿って紙幣を搬送する搬送機構、が設けられている。搬送機構における各搬送ローラ９の回転軸９ａ、並びに、他の機構におけるローラ類の回転軸は装置筐体１の前面壁５６とほぼ直交する方向に延び、搬送路１９を含む紙幣Ｐの搬送経路は前面壁とほぼ平行な方向に延びている。
【００１７】
取り込み機構７０は、載置部３の下方に配設され最下面の紙幣Ｐをズレ出しさせるゴムローラ６、およびゴムローラの側方に設けられたゲートローラ対７を備え、載置部３に積層された紙幣Ｐを最下段の紙幣から一枚づつ装置筐体１内に取込む。
【００１８】
判別装置８は取込み機構７０の側方に配置され、図示しないセンサ群によって、紙幣Ｐの形状、厚さ、印刷特徴、磁気量、汚れ度合などを、紙幣を搬送しながら検出する。そして、判別装置８は、検出された情報を処理することにより、紙幣Ｐの券種、表裏、正券損券の判定結果を出力する。なお、正券とは、紙幣Ｐの内、再使用可能な紙幣を示し、損券とは、汚れ度合いが高く、あるいは、切れ等が存在し再使用しない紙幣を示している。
【００１９】
リジェクトポケット１３および分類ポケット１４、１５は、判別装置８の上方に設けられ、それぞれ装置筐体１の前面壁５６および上壁６０に開口している。リジェクトポケット１３は、判別装置８によって券種や正損の判定ができなかった排除券を収容する排除券ボックスを構成している。分類ポケット１４は、特定券種の損券を収容する分類ポケットを、また、分類ポケット１５は、上記特定券種以外の券種の紙幣Ｐを収容する他の分類ポケットをそれぞれ構成している。
【００２０】
振分け機構７２は、判別装置８の下流側からリジェクトポケット１３および分類ポケット１４、１５へ延びた搬送路１９中に設けられた３つの振分けゲート１１ａ、１１ｂ、１１ｃを備えている。振分けゲート１１ａ、１１ｂ、１１ｃは、判別装置８の判別結果に従って切り替え制御が行われる。判別装置８により紙幣Ｐが特定券種の正券であると判別された場合、振分けゲート１１ａがオン動作され、判別装置８を通過した紙幣Ｐは下側の施封搬送路１２に導かれる。特定券種の正券以外の紙幣Ｐであると判別された場合、振分けゲート１１ａはオフ状態に維持され、判別装置８を通過した紙幣Ｐは分類ポケット側に導かれる。判別装置８により排除券が検出されると振分けゲート１１ｂがオン動作され、この排除券はリジェクトポケット１３に導かれ、このリジェクトポケット１３内に集積される。
【００２１】
判別装置８により上記特定券種の損券が検出されると、振分けゲート１１ｃがオン動作され、上記特定券種の損券は分類ポケット１４に導かれ、この分類ポケット１４内に集積される。更に、判別装置８により上記特定券種以外の紙幣Ｐが検出されると、振分けゲート１１ａ、１１ｂ、１１ｃがいずれもオフ状態に維持され、紙幣は分類ポケット１５に導かれ、この分類ポケット１５内に集積される。
【００２２】
一方、集積施封機構７４は判別装置８の下方に配設されている。判別装置８から集積施封機構７４まで延びる施封搬送路１２には、紙幣の表裏反転部１６が設けられている。表裏反転部１６は正逆反転制御されるローラ対１７を備え、このローラ対の回転方向によって、紙幣Ｐの表裏をそろえる機能を持っている。通常、ローラ対１７は他の搬送ローラ９と同一周速で同一方向に回転し、紙幣Ｐが到達すると急減速し、紙幣をクランプした状態で一旦停止する。次に紙幣Ｐを表裏反転する場合は、ローラ対１７が逆回転方向に急加速すると、紙幣Ｐはスイッチバックして表裏反転され、集積施封機構７４の集積部１８に送られる。紙幣Ｐを反転しない場合、ローラ対１７は正回転方向に急加速され、紙幣Ｐは表裏反転せずに別の搬送路１９を通って集積部１８に集積される。結果として、集積部１８には表裏がすべてそろった状態で特定券種の紙幣Ｐが集積される。
【００２３】
なお、搬送路にはそれぞれ紙幣の通過を検知する複数の透過型の光学センサＳＣ０１ないしＳＣ０７が設けられている。これら光学センサＳＣ０１ないしＳＣ０７によって紙幣Ｐの通過タイミング、通過枚数を検出し、その検出情報に応じて、振分け機構７２、表裏反転部１６の動作を制御する。
【００２４】
集積施封機構７４の集積部１８には一対のセパレータアーム１９ａ、１９ｂ、およびセパレータアームの下方に位置した束キャリア２０が設けられている。セパレータアーム１９ａ、１９ｂは、図示しない制御モータにより３６０度回転され定位置に停止される。表裏反転部１６から集積部１８に送られた紙幣Ｐは水平状態のセパレータアーム１９ａ、１９ｂ上に順次積層される。紙幣Ｐの枚数は光学センサＳＣ０７によりカウントされ、１００枚の紙幣Ｐがセパレータアーム１９ａ、１９ｂ上に集積されると、セパレータアーム１９ａ、１９ｂが下方に回転され、集積紙幣Ｐが束キャリア２０上に移される。その後、セパレータアーム１９ａ、１９ｂは水平状態に戻され、それ以後に送られてくる紙幣Ｐはセパレータアーム１９ａ、１９ｂ上に集積される。
【００２５】
束キャリア２０の一側方にはクランパ７７が設けられ、他側側には帯巻き部２１が設けられている。束キャリア２０上に移された１００枚の集積紙幣Ｐは、クランパ７７により圧縮され、この状態で、束キャリア２０は図示しない駆動機構により帯巻き部２１まで水平に移動される。
【００２６】
帯巻き部２１には、集積紙幣Ｐの束を加圧する束プレス２７、接着ヒータ２８等が設けられている。帯巻き部２１の下方には、帯体としての紙帯７８を帯巻き部２１に供給する帯供給機構７６が設けられている。帯供給機構７６は、回転自在に支持された紙帯のロール２６、ロールから引き出された紙帯７８に記号、文字等の所望の情報を印字するドットプリンタ２４およびインクリボンカセット２５、引き出された紙帯を所定長さに切断するカッタ２３、並びに、切断された紙帯を帯巻き部２１に送り込む紙帯送りローラ対２２を備えている。なお、紙帯７８の片面には、感熱接着剤が塗布されている。
【００２７】
帯巻き部２１では、１００枚の紙幣Ｐの束９０を所定長さの紙帯７８上に載置し、束プレス２７によって束９０を押圧しながら紙帯７８を巻きつけ、接着ヒータ２８により紙帯端部を加熱接着することにより、帯封された１００枚の紙幣束を作成する。完成した紙幣束９０は、帯巻き部２１の下方に設けられた保管箱２９へ送られて保管される。
【００２８】
その他、装置筐体１内には、上述した各機構の動作を制御するマイクロコンピュータ、入出力回路、メモリ等から構成された機構制御部３０、これらに電力を供給するＤＣ電源３１等が設けられている。また、装置筐体１の上壁６０には、紙幣整理機を操作するための種々のキー、計数等の表示を行う操作表示パネル３２が設けられている。
【００２９】
上記のように構成された紙幣整理機は、図１に示すように、例えば、事務机８０の横に立位状態に、かつ、装置筐体１の前面壁５６が操作者側、つまり、正面を向いた状態で設置される。紙幣整理機の基本機能は、種々の券種が混合して装填された紙幣Ｐのうち、特定の１金種を分類して１００枚の束とし、判別不能な紙幣や２枚取り等の紙幣を排除券として第１ポケットに収容するとともに、他の紙幣を２つの第２分類ポケットに分けて収容するものである。例えば、紙幣整理機は、万円券の正券を分類して１００枚の束とし、これを紙帯で結束して紙幣束を作成する。また、排除券を第１分類ポケットに集積し、万円券の損券を一方の第２分類ポケットに、５千円券、千円券等の他金種の紙幣を他方の第２分類ポケットに集積する。改券によって、新旧券が混在するような場合、扱い券種が増えてしまうが、その場合でも新万円券の正券は１００枚の束として結束し、排除券は第１分類ポケットに、新万円の損券は第２分類ポケットに、その他の紙幣は他方の第２ポケットに収容するようにプログラムされている。  
なお、本装置には内蔵するソフトウエア・プログラムによって、指定する操作が可能なに構成されている。
【００３０】
以上のように構成された紙幣整理装置によれば、装置筐体１の中央部に判別装置を、この判別装置の上方に複数の分類ポケットを、判別装置の下方に集積施封機構をそれぞれ配置した３段構造となっている。そのため、装置筐体１の横幅を装置筐体の奥行き、つまり、側壁の幅以下に形成することができ、載置部および判別装置の幅とほぼ同程度の幅とすることができる。これにより、集積施封機構や分類ポケットをもった多機能の処理装置でありながら、操作者と対面する前面側寸法をできるだけ狭くすることができ、事務机の脇などへの設置におけるスペース効率の向上を図ることができる。
【００３１】
紙幣Ｐの搬送路を構成している搬送ローラは、その回転軸が装置筐体１の前面壁５６と直交して延びる向きに配設され、搬送ベルトおよび搬送路は前面壁と平行に延びている。そのため、前面壁５６を開いて装置筐体１内部を開放すると、全ての搬送路や各機構を装置筐体の前面側から目視でき、かつ、前面側からこれら搬送路や各機構に対してアクセルすることができる。従って、紙幣詰まりが生じた場合あるいは装置のメインテナンス時、装置内部の機構を前面側に引出す必要がなく、紙詰まり紙幣の除去、メインテナンス等を容易に行うことが可能となる。同時に、内部機構を引き出し可能とするための構造を省略でき、装置の構成を簡略化し製造コストの低減を図ることが可能となる。更に、事務机の横などに設置した際、その横幅が大きくならないような装置を容易に構成できる。
【００３２】
載置部３は、装置筐体１の前面壁５６、上壁６０および右側の側壁に開口しているため、操作者は正面側からでも、また右側からでも紙幣Ｐを載置部３に装填することがきる。また、リジェクトポケット１３、並びに２つの分類ポケット１４、１５は、いずれも装置筐体１の前面壁５６および上壁６０に開口しているため、操作者は各ポケットに集積された紙幣Ｐを手前側にも、上方側にも抜き出すことができる。これにより、操作者は、操作姿勢を限定せず、立ち位置あるいは座り位置でも紙幣整理機に対して容易に操作することが可能となる。
【００３３】
従来、分類ポケットが１個のものと３個以上のものがある。１回の操作で細かく分類しようとする場合、ポケット数は多い方が望ましいが、小型化を実現しがたい。しかし、１ポケットでは、本装置の基本機能である正損分類が面倒となる。特に、損券は汚損が進んでいたり、テープが貼られていたり、切れが入っていたり、装置内で紙詰まりを起こしやすい。そのため、できるだけ少ない回数で損券を分類し、装置から排出することが望ましいが、１ポケットでは、損券と判定しても、他の券と混合してポケットに集積せざるを得ず、再度分類する必要がある。そこで、本実施形態のように、最低限である２つの分類ポケットを設けることにより、指定券種の損券は、１回の処理で分類することができる。従って、分類ポケットを２個具備することの有用性は高い。
【００３４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３５】
上述した実施の形態において、紙幣整理装置は集積施封機構を備えた構成としたが、この集積施封機構を省略し、取込んだ紙幣を券種ごと、あるいは、正券、損券ごとに分類して分類ポケットに集積する構成としてもよい。また、本発明において、処理対象となる紙葉類は、紙幣に限らず、有価証券等の他の紙葉にも適用可能である。
【図面の簡単な説明】
【００３６】
【図１】この発明の実施の形態に係る紙幣整理機を示す斜視図。
【図２】上記紙幣整理機の内部を正面側から見た状態を示す正面図。
【図３】上記紙幣整理機の内部を概略的に示す側面図。
【符号の説明】
【００３７】
１…装置筐体、  ３…載置部、  ８…判別装置、  １０…搬送路、
１１ａ、１１ｂ、１１ｃ…振分けゲート、  １３…リジェクトポケット、
１４、１５…分類ポケット、  ７２…振分け機構、  ７４…集積施封機構、
７８…紙帯、  Ｐ…紙幣
【図１】
2005056323.tif 000003
【図２】
2005056323.tif 000004
【図３】
2005056323.tif 000005